(57)【特許請求の範囲】
【請求項１】
複数の子局装置と、前記複数の子局装置に光カプラを介して接続される親局装置とで構成されるＰＯＮシステムにおいて、
前記親局装置は、
前記複数の子局装置との間に形成されるロジカルリンクの状態を検出するリンク検出部と、
前記リンク検出部が検出するロジカルリンク状態と、前記複数の子局装置から送出される警報情報とを発生した時刻情報と共にログに保存するログ保存部と、
前記リンク検出部が前記複数の子局装置の何れかの子局装置とのロジカルリンク断を検出した場合に、前記ログ保存部に保存されている前記ログを解析して誤発光状態にある子局装置を推定し、当該子局装置に強制消灯命令を送信して、誤発光状態にある子局装置を特定する解析部と
を有し、
前記子局装置は、
装置異常を検出した場合に前記警報情報を前記親局装置に送信する警報部と、
前記親機装置から前記強制消灯命令を受信した場合に、当該ロジカルリンクに対応する送信用の光信号をオフする光信号強制停止部と
を有し、
前記解析部は、
前記リンク検出部が前記複数の子局装置の何れかの子局装置とのロジカルリンク断を検出した場合に解析処理を開始し、
前記ロジカルリンク断を検出した時刻の直前に当該子局装置から電源断警報を受信しているか否かを前記ログを参照して判別する処理と、
前記ロジカルリンク断を検出した子局装置から前記電源断警報を受信していない場合、配下の全ての子局装置のロジカルリンク状態の検出処理が一巡するまで解析処理をウェイトした後、配下の他の子局装置の中でロジカルリンクが確立した状態にある唯一の子局装置があるか否かを判別する処理と、
ロジカルリンクが確立した状態にある唯一の子局装置がない場合、前記ログの中で最初にロジカルリンク断が検出された子局装置を誤発光状態にあると判断して当該子局装置に強制消灯命令を送信する処理と、
ロジカルリンクが確立した状態にある唯一の子局装置がある場合、当該子局装置に強制消灯命令を送信し、強制消灯命令の送信後に他の子局装置のロジカルリンクが復活したか否かを前記リンク検出部により判別する処理と、
前記ログの中で最初にロジカルリンク断が検出された子局装置またはロジカルリンクが確立した状態にある唯一の子局装置への強制消灯命令の送信後に他の子局装置のロジカルリンクが復活した場合、前記強制消灯命令の送信先の子局装置が誤発光状態にあると判断し、他のロジカルリンクが復活しなかった場合は誤発光以外の故障原因であると判断する処理と
を実行することを特徴とするＰＯＮシステム。
【請求項２】
複数の子局装置に光カプラを介して接続されるＰＯＮシステムの親局装置において、
前記複数の子局装置との間に形成されるロジカルリンクの状態を検出するリンク検出部と、
前記リンク検出部が検出するロジカルリンク状態と、前記複数の子局装置から送出される警報情報とを発生した時刻情報と共にログに保存するログ保存部と、
前記リンク検出部が前記複数の子局装置の何れかの子局装置とのロジカルリンク断を検出した場合に、前記ログ保存部に保存されている前記ログを解析して誤発光状態にある子局装置を推定し、当該子局装置に強制消灯命令を送信して、誤発光状態にある子局装置を特定する解析部と
を有し、
前記解析部は、
前記リンク検出部が前記複数の子局装置の何れかの子局装置とのロジカルリンク断を検出した場合に解析処理を開始し、
前記ロジカルリンク断を検出した時刻の直前に当該子局装置から電源断警報を受信しているか否かを前記ログを参照して判別する処理と、
前記ロジカルリンク断を検出した子局装置から前記電源断警報を受信していない場合、配下の全ての子局装置のロジカルリンク状態の検出処理が一巡するまで解析処理をウェイトした後、配下の他の子局装置の中でロジカルリンクが確立した状態にある唯一の子局装置があるか否かを判別する処理と、
ロジカルリンクが確立した状態にある唯一の子局装置がない場合、前記ログの中で最初にロジカルリンク断が検出された子局装置を誤発光状態にあると判断して当該子局装置に強制消灯命令を送信する処理と、
ロジカルリンクが確立した状態にある唯一の子局装置がある場合、当該子局装置に強制消灯命令を送信し、強制消灯命令の送信後に他の子局装置のロジカルリンクが復活したか否かを前記リンク検出部により判別する処理と、
前記ログの中で最初にロジカルリンク断が検出された子局装置またはロジカルリンクが確立した状態にある唯一の子局装置への強制消灯命令の送信後に他の子局装置のロジカルリンクが復活した場合、前記強制消灯命令の送信先の子局装置が誤発光状態にあると判断し、他のロジカルリンクが復活しなかった場合は誤発光以外の故障原因であると判断する処理と
を実行することを特徴とする親局装置。
【発明の詳細な説明】
【技術分野】
【０００１】
本発明は、複数の子局装置と、複数の子局装置に光カプラを介して接続される親局装置とで構成されるＰＯＮ（Passive Optical Network）システムに関する。
【背景技術】
【０００２】
近年、光通信ネットワークを実現する技術としてＰＯＮシステムが広く使用されている。ＰＯＮシステムは、光信号を光カプラのような受動（Passive）素子を用いて分岐することで、親局装置に接続された一本の光ファイバを複数の子局装置で共有することができ、光通信ネットワークの低価格化を実現することができる。
【０００３】
ＰＯＮシステムでは、親局装置から各子局装置への下り方向の光信号は、全ての子局装置へのデータを含む同一のデータで構成され、光カプラで下り方向の光信号が分岐されて各子局装置に送信される。そして、各子局装置は親局装置から受信する光信号から自分宛のデータのみを抽出し、それ以外のデータは破棄する。一方、各子局装置から親局装置へ送信される上り方向のそれぞれの光信号は、同じ波長が用いられ、光カプラで合流して親局装置に送られる。このため、複数の子局装置から送信される光信号のデータが衝突しないように、各子局装置のデータの送信タイミングとデータ送信量とが親局装置によって制御されている。
【０００４】
ところが、子局装置の故障形態の一つとして親局装置に光信号を送信するレーザーダイオードが常時発光状態になってしまう場合がある。このような故障状態が発生すると、各子局装置から親局装置への光信号は同一波長で送出されているため、他の正常な子局装置から送出される光信号を阻害してしまい、最悪の場合は通信不可能な状態に陥ってしまう。この場合、常時発光状態に陥った子局を特定し、その子局を修理あるいは交換する必要がある。
【０００５】
しかしながら、各子局装置の制御を親局装置で行うのが通常の運用形態であり、上記のような故障状態に陥った場合、親局装置から常時発光状態になった子局装置を特定することは難しい。このような場合、子局装置のユーザーからの申告を待つか保守者を派遣して子局装置毎に動作を確認する作業を行う必要があり、誤発光状態の子局装置が出現してから当該子局装置を特定して修理や交換を行うまでの間、当該ＰＯＮシステムによるサービスを停止する必要があり、各子局装置のユーザーやシステム運用会社の双方に多大な損害が発生してしまうという問題があった。
【０００６】
そこで、ＰＯＮシステムにおいて常時発光状態に陥った子局装置を特定する様々な技術が検討されている（例えば、特許文献１参照）。
【先行技術文献】
【特許文献】
【０００７】
【特許文献１】特開２００４−１１２７４６号公報
【発明の概要】
【発明が解決しようとする課題】
【０００８】
ところが、従来技術では常時発光状態に陥った子局装置を特定するために、配下の子局装置に対して一つ一つ順番に下り方向の通信で発光をオフするコマンドを送信して子局装置を特定するので、時間が掛かってしまうという問題があった。
【０００９】
上記課題に鑑み、本発明の目的は、ＰＯＮシステムにおいて常時発光状態に陥った子局装置を迅速に特定することができるＰＯＮシステムおよび親局装置を提供することである。
【課題を解決するための手段】
【００１０】
本発明に係るＰＯＮシステムは、複数の子局装置と、前記複数の子局装置に光カプラを介して接続される親局装置とで構成されるＰＯＮシステムにおいて、前記親局装置は、前記複数の子局装置との間に形成されるロジカルリンクの状態を検出するリンク検出部と、前記リンク検出部が検出するロジカルリンク状態と、前記複数の子局装置から送出される警報情報とを発生した時刻情報と共にログに保存するログ保存部と、前記リンク検出部が前記複数の子局装置の何れかの子局装置とのロジカルリンク断を検出した場合に、前記ログ保存部に保存されている前記ログを解析して誤発光状態にある子局装置を推定し、当該子局装置に強制消灯命令を送信して、誤発光状態にある子局装置を特定する解析部とを有し、前記子局装置は、装置異常を検出した場合に前記警報情報を前記親局装置に送信する警報部と、前記親機装置から前記強制消灯命令を受信した場合に、当該ロジカルリンクに対応する送信用の光信号をオフする光信号強制停止部とを有し、前記解析部は、前記リンク検出部が前記複数の子局装置の何れかの子局装置とのロジカルリンク断を検出した場合に解析処理を開始し、前記ロジカルリンク断を検出した時刻の直前に当該子局装置から電源断警報を受信しているか否かを前記ログを参照して判別する処理と、前記ロジカルリンク断を検出した子局装置から前記電源断警報を受信していない場合、配下の全ての子局装置のロジカルリンク状態の検出処理が一巡するまで解析処理をウェイトした後、配下の他の子局装置の中でロジカルリンクが確立した状態にある唯一の子局装置があるか否かを判別する処理と、ロジカルリンクが確立した状態にある唯一の子局装置がない場合、前記ログの中で最初にロジカルリンク断が検出された子局装置を誤発光状態にあると判断して当該子局装置に強制消灯命令を送信する処理と、ロジカルリンクが確立した状態にある唯一の子局装置がある場合、当該子局装置に強制消灯命令を送信し、強制消灯命令の送信後に他の子局装置のロジカルリンクが復活したか否かを前記リンク検出部により判別する処理と、前記ログの中で最初にロジカルリンク断が検出された子局装置またはロジカルリンクが確立した状態にある唯一の子局装置への強制消灯命令の送信後に他の子局装置のロジカルリンクが復活した場合、前記強制消灯命令の送信先の子局装置が誤発光状態にあると判断し、他のロジカルリンクが復活しなかった場合は誤発光以外の故障原因であると判断する処理とを実行することを特徴とする。
【００１２】
本発明に係る親局装置は、複数の子局装置に光カプラを介して接続されるＰＯＮシステムの親局装置において、前記複数の子局装置との間に形成されるロジカルリンクの状態を検出するリンク検出部と、前記リンク検出部が検出するロジカルリンク状態と、前記複数の子局装置から送出される警報情報とを発生した時刻情報と共にログに保存するログ保存部と、前記リンク検出部が前記複数の子局装置の何れかの子局装置とのロジカルリンク断を検出した場合に、前記ログ保存部に保存されている前記ログを解析して誤発光状態にある子局装置を推定し、当該子局装置に強制消灯命令を送信して、誤発光状態にある子局装置を特定する解析部とを有し、前記解析部は、前記リンク検出部が前記複数の子局装置の何れかの子局装置とのロジカルリンク断を検出した場合に解析処理を開始し、前記ロジカルリンク断を検出した時刻の直前に当該子局装置から電源断警報を受信しているか否かを前記ログを参照して判別する処理と、前記ロジカルリンク断を検出した子局装置から前記電源断警報を受信していない場合、配下の全ての子局装置のロジカルリンク状態の検出処理が一巡するまで解析処理をウェイトした後、配下の他の子局装置の中でロジカルリンクが確立した状態にある唯一の子局装置があるか否かを判別する処理と、ロジカルリンクが確立した状態にある唯一の子局装置がない場合、前記ログの中で最初にロジカルリンク断が検出された子局装置を誤発光状態にあると判断して当該子局装置に強制消灯命令を送信する処理と、ロジカルリンクが確立した状態にある唯一の子局装置がある場合、当該子局装置に強制消灯命令を送信し、強制消灯命令の送信後に他の子局装置のロジカルリンクが復活したか否かを前記リンク検出部により判別する処理と、前記ログの中で最初にロジカルリンク断が検出された子局装置またはロジカルリンクが確立した状態にある唯一の子局装置への強制消灯命令の送信後に他の子局装置のロジカルリンクが復活した場合、前記強制消灯命令の送信先の子局装置が誤発光状態にあると判断し、他のロジカルリンクが復活しなかった場合は誤発光以外の故障原因であると判断する処理とを実行することを特徴とする。
【発明の効果】
【００１５】
本発明に係るＰＯＮシステムおよび親局装置は、各子局装置のロジカルリンク状態や警報情報を監視してログを収集し、そのログから常時発光状態の可能性が高い子局装置を絞り込むので、迅速に常時発光状態に陥った子局装置を特定することができる。
【図面の簡単な説明】
【００１６】
【図１】ＰＯＮシステム１００の構成例を示す図である。
【図２】誤発光状態のＰＯＮシステム１００の様子を示す図である。
【図３】ＯＬＴ１０１の構成例を示す図である。
【図４】子局データ管理部２０５のＯＮＵ管理テーブルの一例を示す図である。
【図５】ログ保存部２０８のログの一例を示す図である。
【図６】ＯＮＵ１０３の構成例を示す図である。
【図７】誤発光状態のＯＮＵ１０３を特定する処理例を示すフローチャートである。
【図８】ログ保存部２０８のログの一例を示す図である。
【図９】ログ保存部２０８のログの一例を示す図である。
【図１０】ログ保存部２０８のログの一例を示す図である。
【発明を実施するための形態】
【００１７】
以下、本発明に係るＰＯＮシステムの実施形態について詳しく説明する。
【００１８】
図１は、本実施形態に係るＰＯＮシステム１００の構成例を示す図である。図１において、ＰＯＮシステム１００は、親局装置であるＯＬＴ１０１と、光カプラ１０２と、子局装置であるＯＮＵ１０３（１０３ａ、１０３ｂ、１０３ｃ、１０３ｄ）とで構成される。ここで、以降の説明において、ＯＮＵ１０３ａ、ＯＮＵ１０３ｂ、ＯＮＵ１０３ｃおよびＯＮＵ１０３ｄに共通の事項を説明する場合は符号末尾のアルファベットを省略してＯＮＵ１０３と表記し、特定の子局装置を示す場合は符号にアルファベットを付加して例えばＯＮＵ１０３ａのように表記する。
【００１９】
図１において、ＰＯＮシステム１００は、ＯＬＴ１０１から各ＯＮＵ１０３に対して送信される下り方向の光信号には、ＯＮＵ１０３ａに対するデータａと、ＯＮＵ１０３ｂに対するデータｂと、ＯＮＵ１０３ｃに対するデータｃと、ＯＮＵ１０３ｄに対するデータｄとが時分割多重されている。下り方向の光信号は、受動素子である光カプラ１０２で単純に複数の光信号に分岐され、分岐先の全てのＯＮＵ１０３に全データ（データａ、データｂ、データｃおよびデータｄ）が送信される。そして、ＯＮＵ１０３では、自装置宛のデータのみを取り出して他装置宛のデータを破棄する。例えば、ＯＮＵ１０３ａではデータａのみを取り出してユーザー端末側に出力し、データｂ、データｃおよびデータｄは破棄される。
【００２０】
一方、ユーザー端末側に接続されるユーザーのパソコンやルーターなどの装置から送信されるデータは、各ユーザー端末側のＯＮＵ１０３から上り方向の光信号としてＯＬＴ１０１に送信される。ここで、各ＯＮＵ１０３は、予めＯＬＴ１０１から上り方向のデータの送信タイミングや送信データ量などが指定されており、指定されたタイミングでデータを送信する。例えばＯＮＵ１０３ａは送信タイミングＴａでデータＡを送信し、ＯＮＵ１０３ｂは送信タイミングＴｂでデータＢを送信する。同様に、ＯＮＵ１０３ｃは送信タイミングＴｃでデータＣ、ＯＮＵ１０３ｄは送信タイミングＴｄでデータＤをそれぞれ送信する。そして、全てのデータは、光カプラ１０２で合流し、時分割多重されてＯＬＴ１０１まで送信される。ここで、光カプラ１０２で合流する際に、他のデータに重ならないように、送信タイミングＴａ，Ｔｂ，ＴｃおよびＴｄと送信データ量が制御されている。
【００２１】
このようにして、ＰＯＮシステム１００では、ＯＬＴ１０１と複数のＯＮＵ１０３との間でデータを送受信することができる。
【００２２】
ところが、ＯＮＵ１０３の故障形態の一つとしてＯＬＴ１０１に光信号を送信するためのレーザーダイオードが常時発光状態になってしまう場合がある。図２は、図１のＰＯＮシステム１００において、ＯＮＵ１０３ａが常時発光状態の故障状態（誤発光状態）に陥ったときの様子を描いた図である。尚、図２において、図１と同符号のものは同じものを示す。
【００２３】
図２において、送信タイミングＴａでＯＮＵ１０３ａからデータＡが送信されるが、そのまま誤発光状態になって次のＯＮＵ１０３ｂの送信タイミングＴｂにおいても発光状態になっているため、ＯＮＵ１０３ｂは正常な送信データをＯＬＴ１０１に送ることができず、ロジカルリンク断になってしまう。同様に、ＯＮＵ１０３ｃの送信タイミングＴｃおよびＯＮＵ１０３ｄの送信タイミングＴｄになってもＯＮＵ１０３ａは常時発光状態のままなので、ＯＮＵ１０３ｃおよびＯＮＵ１０３ｄも正常な送信データをＯＬＴ１０１に送ることができないので、ロジカルリンク断になってしまう。尚、ＯＮＵ１０３ａが常時発光状態になった場合でもＯＮＵ１０３ａのレーザーダイオードでの信号の送信が可能であるならばＯＮＵ１０３ａのロジカルリンクは確立されたままになり、レーザーダイオードでの信号の送信が不可能であるならばＯＮＵ１０３ａもロジカルリンク断になる。
【００２４】
このように、ＰＯＮシステム１００では、ＯＬＴ１０１の配下の複数のＯＮＵ１０３のうち何れか１つのＯＮＵ１０３が誤発光状態に陥った場合、他のＯＮＵ１０３の上り方向のロジカルリンクが切断されてしまうという問題が生じる。そして、誤発光状態に陥ったＯＮＵ１０３を特定してレーザーダイオードを強制的に消灯するか、当該ＯＮＵ１０３を取り替えるなどの保守が終了するまでＰＯＮシステム１００の運用ができないという問題があった。
【００２５】
そこで、本実施形態に係るＰＯＮシステム１００では、誤発光状態に陥ったＯＮＵ１０３を迅速に特定できるようになっている。
［ＯＬＴ１０１の構成例］
次に、ＯＬＴ１０１の構成例について図３を用いて説明する。図３において、ＯＬＴ１０１は、光信号送受信部２０１と、光／電気信号変換部２０２と、ＯＬＴ制御部２０３と、電気信号送受信部２０４と、子局データ管理部２０５と、管理通信部２０６と、警報処理部２０７と、ログ保存部２０８と、ログ解析部２０９とで構成される。
【００２６】
光信号送受信部２０１は、配下に接続される複数のＯＮＵ１０３に下り方向の光信号を送信し、各ＯＮＵ１０３から送信される光信号を受信する。
【００２７】
光／電気信号変換部２０２は、光信号送受信部２０１が受信した光信号のデータを電気信号のデータに変換してＯＬＴ制御部２０３に出力し、ＯＬＴ制御部２０３から出力される電気信号のデータを光信号のデータに変換して光信号送受信部２０１に出力する。
【００２８】
ＯＬＴ制御部２０３は、ＯＬＴ１０１全体の動作を制御すると共に、配下に接続されるＯＮＵ１０３を制御する。例えば各ＯＮＵ１０３から送信される上り方向のデータの送信タイミングや送信データ量を制御する。特に本実施形態では、ＯＬＴ制御部２０３は、リンク管理機能部２５１と、強制消灯命令発行部２５２とを有する。リンク管理機能部２５１は、各ＯＮＵ１０３との間に確立されるロジカルリンクの状態をモニタし、強制消灯命令発行部２５２は、ＯＮＵ１０３が光信号を送出するレーザーダイオードの発光を電源オフなどにより強制的に消灯させるコマンドを各ＯＮＵ１０３に送信する。また、ＯＬＴ制御部２０３は、配下の各ＯＮＵ１０３から受信する警報やＯＮＵ１０３との間に確立されるロジカルリンクの状態を警報処理部２０７を介してログ保存部２０８に時間情報と共に保存する。
【００２９】
電気信号送受信部２０４は、インターネットなどに接続される上位装置との間でＬＡＮケーブルや専用回線を介して電気信号によるデータの送受信を行う。
【００３０】
子局データ管理部２０５は、ＯＬＴ１０１の配下のＯＮＵ１０３に関する情報を管理する。例えば子局データ管理部２０５は、図４に示すようなＯＮＵ管理テーブルを有し、ＯＬＴ制御部２０３がＯＮＵ１０３との間でロジカルリンクを確立した時に、当該ＯＮＵ１０３のＭＡＣアドレスと、ロジカルリンクＩＤ（ＬＬＩＤ）とをＯＮＵ管理テーブルに記憶する。図４のＯＮＵ管理テーブルでは、ＯＮＵ１０３の名称と、ＭＡＣアドレスと、ＬＬＩＤとが管理されている。例えばＯＮＵ−ａのＭＡＣアドレスは、00-11-22-33-44-55で、ＬＬＩＤは１であることがわかる。
【００３１】
管理通信部２０６は、監視制御用のネットワークを介して監視装置１０４に接続されている。管理者は、監視装置１０４によってＯＬＴ１０１やＰＯＮシステム１００の運用状態を監視し、ＯＬＴ１０１から装置異常が通知された場合に、保守や点検を行う。
【００３２】
警報処理部２０７は、各ＯＮＵ１０３から送信される警報やロジカルリンク状態をＯＬＴ制御部２０３から入力し、時刻情報と共にログ保存部２０８に保存する。
【００３３】
ログ保存部２０８は、不揮発性のメモリやハードディスクなどの記憶媒体で構成され、警報処理部２０７が出力するロジカルリンク状態や警報情報および時刻情報をログ（履歴）として記憶する。ここで、ログの一例を図５に示す。図５の例では、日時情報の時系列順にロジカルリンク状態や警報情報が、どのロジカルリンクで発生したかを示すＬＬＩＤと共に記憶されている。例えば２０１１年１１月１日の１０時２５分３０秒にＬＬＩＤ：１のロジカルリンクが確立し、２０１１年１１月２日の７時４５分００秒に同じＬＬＩＤ：１で電源断警報が発報されていることがわかる。ここで、例えば電源断警報を発報したＬＬＩＤ：１に対応するＯＮＵは、図４のＯＮＵ管理テーブルを参照してＯＮＵ名：ＯＮＵ−ａで、そのＭＡＣアドレスは00-11-22-33-44-55であることがわかる。
【００３４】
ログ解析部２０９は、ログ保存部２０８に保存されているログを解析して、誤発光状態に陥ったＯＮＵ１０３を特定する処理を行う。尚、特定処理の詳細については後で詳しく説明する。
【００３５】
以上、図３で説明したように、ＯＬＴ１０１は構成されるが、図３は一例であり、同様の機能を有するＰＯＮシステム１００のＯＬＴであれば本実施形態と同様の効果が得られる。例えば図３では、本実施形態に係るＯＬＴ１０１の特徴が理解し易いように、警報処理部２０７と、ログ保存部２０８と、ログ解析部２０９とを独立した処理ブロックとして描いたが、ＯＬＴ制御部２０３の中にまとめてもよい。
［ＯＮＵ１０３の構成例］
次に、ＯＮＵ１０３の構成例について図４を用いて説明する。図４において、ＯＮＵ１０３は、光信号送受信部３０１と、光／電気信号変換部３０２と、ＯＮＵ制御部３０３と、電気信号送受信部３０４と、電源部３０５と、電源断検出・警報発出部３０６と、光信号強制停止部３０７とで構成される。
【００３６】
光信号送受信部３０１は、ＯＬＴ１０１へ上り方向の光信号を送信し、ＯＬＴ１０１から送信される光信号を受信する。
【００３７】
光／電気信号変換部３０２は、光信号送受信部３０１が受信した光信号のデータを電気信号のデータに変換してＯＮＵ制御部３０３に出力し、ＯＮＵ制御部３０３から出力される電気信号のデータを光信号のデータに変換して光信号送受信部３０１に出力する。
【００３８】
ＯＮＵ制御部３０３は、ＯＮＵ１０３全体の動作を制御すると共に、ＯＬＴ１０１から受信する制御命令に応じた処理を行う。例えばＯＬＴ１０１から受信するデータの送信タイミングや送信データ量に従って、上り方向の光信号を制御する。特に本実施形態では、ＯＮＵ制御部３０３は、ＯＬＴ１０１から発行される強制消灯命令を受信した場合に、光信号強制停止部３０７に対して光信号送受信部３０１の上り方向の光信号を送出するレーザーダイオードの発光を強制的に停止させるよう指令する。
【００３９】
電気信号送受信部３０４は、ＬＡＮケーブルなどを介してユーザー端末との間で電気信号によるデータの送受信を行う。
【００４０】
電源部３０５は、商用電源などからＯＮＵ１０３の各部へ電源を供給する。特に本実施形態では、商用電源の停止や電源スイッチのオフなどによる電源断をモニタするための信号が電源断検出・警報発出部３０６に接続されている。尚、図６では電源供給のための配線は省略してある。
【００４１】
電源断検出・警報発出部３０６は、電源部３０５の電源断のモニタ信号により、電源断の有無を検出する。そして、電源断を検出した場合は、電源断警報をＯＬＴ１０１にＯＮＵ制御部３０３を介して送信する。尚、電源部３０５が電源断に陥った場合でも電源断警報を通知するのに必要な時間は、ＯＮＵ１０３が動作できるように、電源部３０５内にスーパーキャパシタやバッテリーなどが設けれれている。
【００４２】
光信号強制停止部３０７は、ＯＬＴ１０１から発行される強制消灯命令を受信したＯＮＵ制御部３０３の指令に応じて、光信号送受信部３０１の上り方向の光信号を送出するレーザーダイオードの発光を強制的に停止させる。尚、レーザーダイオードの消灯は、レーザーダイオード発光回路自体が故障している可能性があるので、例えば発光回路に供給する電源をオフするなどの制御により強制的に行う。
【００４３】
以上、図６で説明したように、ＯＮＵ１０３は構成されるが、図６は一例であり、同様の機能を有するＰＯＮシステム１００のＯＮＵであれば本実施形態と同様の効果が得られる。例えば図６では、本実施形態に係るＯＮＵ１０３の特徴が理解し易いように、電源断検出・警報発出部３０６や光信号強制停止部３０７を独立した処理ブロックとして描いたが、ＯＮＵ制御部３０３の中にまとめてもよい。
【００４４】
［誤発光状態のＯＮＵ１０３の特定処理］
誤発光状態のＯＮＵ１０３を特定する処理について、詳しく説明する。ここで、本実施形態に係るＰＯＮシステム１００では、誤発光状態のＯＮＵ１０３が出現した可能性を疑い始める契機、つまり誤発光状態にあると思われるＯＮＵ１０３を特定する処理を開始する契機はロジカルリンクの切断が発生した時である。
【００４５】
図７のフローチャートは、ロジカルリンク断の発生を契機としてＯＬＴ１０１側のログ解析部２０９およびＯＬＴ制御部２０３を中心として行われる処理の流れを示している。
【００４６】
（ステップＳ１０１）ログ解析部２０９は、ロジカルリンク断を検出した子局装置（ＯＮＵ１０３）から電源断警報が出されているか否かを判別する。そして、電源断警報が出されていない場合はステップＳ１０２に進み、電源断警報が出されている場合はステップＳ１０９に進んで解析処理を終了する。
【００４７】
ここで、ロジカルリンク断を検出したＯＮＵ１０３の特定は、先に説明したログ保存部２０８のログを参照して、ロジカルリンク断になったＬＬＩＤを調べ、同じＬＬＩＤでロジカルリンク断の検出前に電源断警報が出されているかを確認する。先に説明した図５の例では、日時が2011/11/2の07:45:15に、LLID:1のロジカルリンク断を検出した場合、同じLLID:1で直前に電源断警報を受信しているか否かを調べると、その直前の時刻07:45:15に電源断警報を受信しているので、ロジカルリンク断が誤発光状態によるものではないと判断して解析処理を終了する。
【００４８】
先に説明した図５の例に続いて、図８の例のように、日時2011/11/2の15:11:05に、LLID:4のロジカルリンク断を検出した場合、同じLLID:4で直前に電源断警報を受信しているか否かを調べると、LLID:4の電源断警報は無いので、ステップＳ１０２に進む。
【００４９】
（ステップＳ１０２）ログ解析部２０９は、ＯＬＴ１０１の配下に収容する他のＯＮＵ１０３のロジカルリンク状態をログ保存部２０８のログを参照して確認する。図８の例では、ＬＬＩＤ：４のＯＮＵ１０３以外のＯＮＵ１０３（LLID:1,2,3）のロジカルリンク状態を確認する。
【００５０】
（ステップＳ１０３）ログ解析部２０９は、ＯＬＴ１０１の配下に収容するＯＮＵ１０３の中で唯一、ロジカルリンクが確立したままになっているＯＮＵ１０３の有無を判別する。そして、ロジカルリンクが確立したままになっているＯＮＵ１０３がある場合はステップＳ１０５に進み、ロジカルリンクが確立したままになっているＯＮＵ１０３がない場合はステップＳ１０４に進む。
【００５１】
ここで、ログ解析部２０９は、ロジカルリンクが確立したままになっている唯一のＯＮＵ１０３の有無を判別する際に、確実に他のＯＮＵ１０３のロジカルリンク断を漏れなく判別できるように、配下のＯＮＵ１０３の全てのＯＮＵ１０３のロジカルリンク断の検出処理が一巡して終了するまでの時間（例えば３秒間など）だけウェイトするものとする。図８の例では、日時が2011/11/2の15:11:05のLLID:4のロジカルリンク断により、本フローチャートによる処理が開始されるが、配下の全てのＯＮＵ１０３のロジカルリンク断の検出処理が一巡した後の例えば時刻15:11:10にステップＳ１０３の判別を行う。
【００５２】
図８の例では、日時が2011/11/2の15:11:05のLLID:4のロジカルリンク断に連続して、時刻15:11:06にLLID:3、時刻15:11:07にLLID:2がそれぞれロジカルリンク断になっているので、ロジカルリンクが確立したままになっている唯一のＯＮＵ１０３が無く、ステップＳ１０４に進む。
【００５３】
ここで、図８の例ではなく、図９の例のように、時刻15:11:10にステップＳ１０３の判別処理を行った時点で、唯一LLID:2がロジカルリンク確立状態にある場合はステップＳ１０５に進む。
【００５４】
（ステップＳ１０４）ログ解析部２０９は、ステップＳ１０３で唯一ロジカルリンクが無い場合、ログ保存部２０８のログの中で、一番最初にロジカルリンク断が発生したＯＮＵ１０３が誤発光状態になっていると推定する。図８の例では、日時2011/11/2の15:11:05のLLID:4のロジカルリンク断を検出を契機に本フローチャートの処理を開始しているので、一番最初にロジカルリンク断が発生したＯＮＵ１０３は、LLID:4のＯＮＵ１０３である。
【００５５】
（ステップＳ１０５）ログ解析部２０９は、ステップＳ１０３で唯一ロジカルリンクが確立された状態になっているＯＮＵ１０３またはステップＳ１０４でログ解析処理開始後に一番最初にロジカルリンク断が発生したＯＮＵ１０３にＯＬＴ制御部２０３を介して強制消灯命令を送信する。図９の例では、唯一ロジカルリンクが確立された状態になっているLLID:2のＯＮＵ１０３に対して、時刻15:11:11に強制消灯命令を送信する。先に説明した図８の場合は、ログ解析処理開始後に一番最初にロジカルリンク断が発生したLLID:4のＯＮＵ１０３に対して強制消灯命令が送信される。尚、送信先のLLID:2のＯＮＵ１０３は、図４のＯＮＵ管理テーブルにより、ＯＮＵ−ｂでＭＡＣアドレスは11-22-33-44-55-66であることがわかる。同様に、LLID:4のＯＮＵ１０３は、図４のＯＮＵ管理テーブルにより、ＯＮＵ−ｄでＭＡＣアドレスは33-44-55-66-77-88であることがわかる。
【００５６】
（ステップＳ１０６）ステップＳ１０４で誤発光状態にある可能性が高いと推定されるＯＮＵ１０３に強制消灯命令を送信した後、ログ解析部２０９は、他のＯＮＵ１０３のロジカルリンク状態を確認し、切断されていたロジカルリンクが回復したか否かを判別する。そして、他のＯＮＵ１０３のロジカルリンクが回復して再び確立された場合はステップＳ１０７に進み、他のＯＮＵ１０３のロジカルリンクが回復しなかった場合はステップＳ１０８に進む。
【００５７】
図９の例では、日時2011/11/2の15:11:11に唯一ロジカルリンクが確立した状態になっていたLLID:2のＯＮＵ１０３に対して強制消灯命令を送信し、時刻15:11:15にLLID:2のロジカルリンクが切断される。そして、所定時間経過後（図９では１分経過後の時刻15:12:15）においても、その他のＯＮＵ１０３のロジカルリンクが回復していない場合は、ステップＳ１０８に進む。尚、図８の例では、ログ解析処理開始後に一番最初にロジカルリンク断が発生したLLID:4のＯＮＵ１０３に対して、同様の処理が行われる。
【００５８】
ここで、図９の例ではなく、図１０の例では、唯一ロジカルリンクが確立した状態になっていたLLID:2のＯＮＵ１０３が強制消灯命令により時刻15:11:15にロジカルリンクが切断された後、時間的に連続して、時刻15:11:25にLLID:4、時刻15:11:35にLLID:3のロジカルリンクが相次いで回復している。つまり、電源断によりロジカルリンク断になったままのLLID:1と強制消灯したLLID:2以外のロジカルリンクが回復したので、ステップＳ１０７に進む。
【００５９】
（ステップＳ１０７）ログ解析部２０９は、ステップＳ１０５で強制消灯命令を送信したロジカルリンクのＯＮＵ１０３が誤発光状態にあるものと特定し、監視通信部２０６を介して監視装置１０４に当該ＯＮＵ１０３を通知する。
【００６０】
図１０の例では、強制消灯命令を送信したLLID:2のＯＮＵ１０３が誤発光状態にあるものと特定し、監視通信部２０６を介して監視装置１０４にLLID:2のＯＮＵ１０３を通知する。尚、LLID:2のＯＮＵ１０３は、図４のＯＮＵ管理テーブルにより、ＯＮＵ−ｂでＭＡＣアドレスは11-22-33-44-55-66であることがわかる。
【００６１】
（ステップＳ１０８）ログ解析部２０９は、誤発光以外の原因によるロジカルリンク断であることが疑われることを監視通信部２０６を介して監視装置１０４に通知する。これにより、管理者は、誤発光以外の故障を想定した保守点検を行うことができる。尚、本実施形態では、誤発光状態に陥ったＯＮＵ１０３を特定することが目的なので、誤発光以外の故障についての説明は省略する。
【００６２】
図９の例では、唯一ロジカルリンクが確立した状態になっていたLLID:2のＯＮＵ１０３に対して時刻15:11:10に強制消灯命令を送信後、他のＯＮＵ１０３のロジカルリンクが回復していないので、誤発光以外の原因（例えば光ファイバーの抜けや断線など）によるロジカルリンク断であることが推定される。尚、図８の例では、ログ解析処理開始後に一番最初にロジカルリンク断が発生したLLID:4のＯＮＵ１０３に対して、同様の処理が行われる。
【００６３】
ここで、図８の例において、唯一ロジカルリンクが確立されているＯＮＵ１０３に強制消灯命令を送信して他のＯＮＵ１０３のロジカルリンクが回復した場合に強制消灯命令を送った先のＯＮＵ１０３が誤発光状態であると判断する根拠について、先に説明した図２を用いて説明する。図２では、ＯＮＵ１０３ａが誤発光状態に陥ったために他のＯＮＵ１０３（ＯＮＵ１０３ｂ、ＯＮＵ１０３ｃおよびＯＮＵ１０３ｄ）から送信されるデータＢ、データＣおよびデータＤが影響を受けてロジカルリンク断になってしまう。ところが、誤発光状態にあるＯＮＵ１０３ａのレーザーダイオードを強制的に消灯することによって、他のＯＮＵ１０３（ＯＮＵ１０３ｂ、ＯＮＵ１０３ｃおよびＯＮＵ１０３ｄ）から送信されるデータＢ、データＣおよびデータＤへの影響が無くなるので、ロジカルリンクが復活する。
【００６４】
尚、ＯＮＵ１０３ａのレーザーダイオードのデータ変調が正常に動いている場合はデータＡは正常にＯＬＴ１０１に送られるのでロジカルリンクが、唯一、確立された状態になるが、ＯＮＵ１０３ａのレーザーダイオードのデータ変調を正常に行えない場合や故障の原因が他にある場合は、データＡ自体もエラーになるのでＯＮＵ１０３ａのロジカルリンクも切断される。
【００６５】
ここで、図８の例において、ログ解析処理開始後に一番最初にロジカルリンク断が発生したLLID:4のＯＮＵ１０３に対しても、誤発光状態であると判断する根拠は同様に考えることができる。
【００６６】
このようにして、本実施形態に係るＰＯＮシステム１００では、誤発光状態に陥ったＯＮＵ１０３を特定することができる。
【００６７】
尚、本発明に係るＰＯＮシステムおよび親局装置について、各実施例を挙げて説明してきたが、その精神またはその主要な特徴から逸脱することなく他の多様な形で実施することができる。そのため、上述した実施例はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００６８】
１００・・・ＰＯＮシステム
１０１・・・ＯＬＴ
１０２・・・光カプラ
１０３，１０３ａ，１０３ｂ，１０３ｃ，１０３ｄ，・・・ＯＮＵ
２０１・・・光信号送受信部
２０２・・・光／電気信号変換部
２０３・・・ＯＬＴ制御部
２０４・・・電気信号送受信部
２０５・・・子局データ管理部
２０６・・・管理通信部
２０７・・・警報処理部
２０８・・・ログ保存部
２０９・・・ログ解析部
１０４・・・監視装置
３０１・・・光信号送受信部
３０２・・・光／電気信号変換部
３０３・・・ＯＮＵ制御部
３０４・・・電気信号送受信部
３０５・・・電源部
３０６・・・電源断検出・警報発出部
３０７・・・光信号強制停止部
【図１】
0005592345.tif 000002
【図２】
0005592345.tif 000003
【図３】
0005592345.tif 000004
【図４】
0005592345.tif 000005
【図５】
0005592345.tif 000006
【図６】
0005592345.tif 000007
【図７】
0005592345.tif 000008
【図８】
0005592345.tif 000009
【図９】
0005592345.tif 000010
【図１０】
0005592345.tif 000011